(57)【要約】【課題】ホースによる装置の大型化を抑制することができる人体局部洗浄装置を提供すること。【解決手段】ベース部材１０に対し進退動可能に支持された洗浄ノズル２０と、水源からの水を供給可能な部位であって、前記洗浄ノズル２０の下側に位置する接続部４０と、一端が前記洗浄ノズル２０に接続されるとともに、他端が前記接続部４０に接続されたホース３０と、を備え、前記洗浄ノズル２０、前記接続部４０、および前記ホース３０が幅方向に直交する平面（ＹＺ平面）に沿って設けられている人体局部洗浄装置１とする。【選択図】図２
2014221995.tif 000002
【特許請求の範囲】
【請求項１】
ベース部材に対し進退動可能に支持された洗浄ノズルと、
水源からの水を供給可能な部位であって、前記洗浄ノズルの下側に位置する接続部と、
一端が前記洗浄ノズルに接続されるとともに、他端が前記接続部に接続されたホースと、
を備え、
前記洗浄ノズル、前記接続部、および前記ホースが、前記洗浄ノズルの幅方向に直交する平面に沿って設けられていることを特徴とする人体局部洗浄装置。
【請求項２】
駆動源によって回転する歯車に噛み合うラックであって、一端側が前記洗浄ノズルに固定され、当該洗浄ノズルに固定された部分よりも後方側に位置する部分の少なくとも一部が下方に湾曲させられたフレキシブルラックと、
前記ベース部材に対して回動自在に支持された基端部、前記フレキシブルラックの他端側に接続された先端部、およびこの基端部および先端部の間に位置し、前記ホースの一端と他端との間の途中部位が係合する係合部を有するアーム部材と、
を備え、
前記駆動源を駆動し、前記フレキシブルラックの一端側とともに前記洗浄ノズルを進退動させたときには、この進退動するフレキシブルラックの他端側に接続された前記先端部を有する前記アーム部材が回動して、前記係合部と前記ホースの係合位置が変化することで当該洗浄ノズルとともにそれに接続された当該ホースの一端が進退動するように構成されていることを特徴とする請求項１に記載の人体局部洗浄装置。
【請求項３】
前記ホースにおける前記係合部に係合した部分は、前記アーム部材によって幅方向外側への移動が規制されていることを特徴とする請求項２に記載の人体局部洗浄装置。
【請求項４】
前記フレキシブルラックにおける湾曲した部分の少なくとも一部は、前記ベース部材に形成された係合溝に係合されていることを特徴とする請求項２または請求項３に記載の人体局部洗浄装置。
【請求項５】
前記フレキシブルラックにおける前記アーム部材が接続された部分は、前記アーム部材によって幅方向外側への移動が規制されていることを特徴とする請求項４に記載の人体局部洗浄装置。
【発明の詳細な説明】
【技術分野】
【０００１】
本発明は、人体の局部を洗浄する洗浄ノズルを備える人体局部洗浄装置に関するものである。
【背景技術】
【０００２】
このような人体局部洗浄装置として、下記特許文献１に記載のものが公知である。各洗浄ノズルには、洗浄水を供給するためのホースが接続される。
【先行技術文献】
【特許文献】
【０００３】
【特許文献１】特開２００３−２９３４３１号公報
【発明の概要】
【発明が解決しようとする課題】
【０００４】
上記特許文献１に記載の装置は、ホースが三次元的に（洗浄ノズルの進退動作方向だけでなく、ノズルの幅方向にも変位するように）配されているため、ホースが装置の（小型化）コンパクト化を阻害する要因になるし、洗浄ノズルが進退動作する際にホースの座屈が生じやすい。また、上記特許文献１に記載の装置において、無理矢理ホースを二次元的に引き回すと、ホースの座屈が生じやすい態様となる。
【０００５】
本発明が解決しようとする課題は、ホースによる装置の大型化を抑制することができる人体局部洗浄装置を提供することにある。
【課題を解決するための手段】
【０００６】
上記課題を解決するために本発明にかかる人体局部洗浄装置は、ベース部材に対し進退動可能に支持された洗浄ノズルと、水源からの水を供給可能な部位であって、前記洗浄ノズルの下側に位置する接続部と、一端が前記洗浄ノズルに接続されるとともに、他端が前記接続部に接続されたホースと、を備え、前記洗浄ノズル、前記接続部、および前記ホースが、前記洗浄ノズルの幅方向に直交する平面に沿って設けられていることを特徴とする。
【０００７】
駆動源によって回転する歯車に噛み合うラックであって、一端側が前記洗浄ノズルに固定され、当該洗浄ノズルに固定された部分よりも後方側に位置する部分の少なくとも一部が下方に湾曲させられたフレキシブルラックと、前記ベース部材に対して回動自在に支持された基端部、前記フレキシブルラックの他端側に接続された先端部、およびこの基端部および先端部の間に位置し、前記ホースの一端と他端との間の途中部位が係合する係合部を有するアーム部材と、を備え、前記駆動源を駆動し、前記フレキシブルラックの一端側とともに前記洗浄ノズルを進退動させたときには、この進退動するフレキシブルラックの他端側に接続された前記先端部を有する前記アーム部材が回動して、前記係合部と前記ホースの係合位置が変化することで当該洗浄ノズルとともにそれに接続された当該ホースの一端が進退動するように構成されているとよい。
【０００８】
前記ホースにおける前記係合部に係合した部分は、前記アーム部材によって幅方向外側への移動が規制されているとよい。
【０００９】
前記フレキシブルラックにおける湾曲した部分の少なくとも一部は、前記ベース部材に形成された係合溝に係合されているとよい。
【００１０】
前記フレキシブルラックにおける前記アーム部材に接続された部分は、前記アーム部材によって幅方向外側への移動が規制されているとよい。
【発明の効果】
【００１１】
本発明にかかる人体局部洗浄装置は、ホースの他端（洗浄ノズルに接続される一端の反対側端部）が接続される接続部を洗浄ノズルの下側に位置させることで、洗浄ノズル、接続部、およびホースが幅方向に直交する平面に沿うようにしたものである。そのため、ホースが三次元的に配される従来の装置に比して、装置のコンパクト化が図れる。また、洗浄ノズルが進退動作する際のホースの動きが、上記平面に沿ったものとなるため、ホースが三次元的に配される従来の装置に比して、ホースが座屈しにくいし、座屈を防止するために必要なホース長も短くなる。
【００１２】
洗浄ノズルを進退動作させるための動力伝達部材として下方側に湾曲させたフレキシブルラックを用い、当該フレキシブルラックの他端に接続されるアームをホースの一端が洗浄ノズルとともに進退動させるための部材として機能させることで、上記平面に沿ってホースが配される構造を簡単に構築することができる。
【００１３】
ホースにおける係合部に係合された部分の幅方向外側への移動が、アーム部材によって規制された構成とすれば、ホースが上記平面に沿って配された状態が維持される。つまり、アーム部材は、上記機能（ホースの一端を洗浄ノズルとともに進退動させる機能）を発揮する部材として働くだけでなく、ホースを幅方向外側から押さえる機能を発揮する部材としても働く。
【００１４】
フレキシブルラックにおける湾曲した部分の少なくとも一部がベース部材に形成された係合溝に係合されていれば、洗浄ノズルとともに移動するフレキシブルラックの湾曲した形状が維持される。
【００１５】
フレキシブルラックにおけるアーム部材に接続された部分の幅方向外側への移動が、アーム部材によって規制された構成とすれば、フレキシブルラックが係合溝から外れてしまうこと（フレキシブルラックがスラスト方向に移動してしまうこと）を防止することができる。つまり、アーム部材は、上記機能（ホースの一端を洗浄ノズルとともに進退動させる機能やホースを幅方向外側から押さえる機能）を発揮する部材として働くだけでなく、フレキシブルラックを幅方向外側から押さえる機能を発揮する部材としても働く。
【図面の簡単な説明】
【００１６】
【図１】本発明の一実施形態にかかる人体局部洗浄装置が適用された便座の外観図である。
【図２】本発明の一実施形態にかかる人体局部洗浄装置の外観図である。
【図３】フレキシブルラックおよびアーム部材が取り外された本発明の一実施形態にかかる人体局部洗浄装置の外観図である。
【図４】本発明の一実施形態にかかる人体局部洗浄装置の側面図であって、洗浄ノズルが原位置に位置した状態を示したものである。
【図５】本発明の一実施形態にかかる人体局部洗浄装置の側面図であって、洗浄ノズルが洗浄位置（前進端位置）に位置した状態を示したものである。
【図６】係合溝に係合されたフレキシブルラックと、その幅方向外側に位置するアーム部材を模式的に示した断面図（図４のＡ−Ａ線断面図）である。
【図７】アーム部材の外観図である。
【発明を実施するための形態】
【００１７】
以下、本発明の一実施形態にかかる人体局部洗浄装置１について、図１〜図７を参照しつつ詳細に説明する。なお、以下の説明において幅方向とは洗浄ノズル２０の幅方向に沿う方向（図示したＸ方向）をいい、前後方向とは洗浄ノズル２０が進退動作する方向に沿う方向（図示したＹ方向）をいい、上下方向とは幅方向および前後方向に直交する方向（図示したＺ方向）をいうものとする。上下方向は、重力方向に沿う方向であってもよいし、本実施形態のように重力方向に対して一定角度傾斜した方向であってもよい。
【００１８】
本実施形態にかかる人体局部洗浄装置１は、ベース部材１０と、洗浄ノズル２０と、ホース３０と、接続部４０と、フレキシブルラック５０と、アーム部材６０と、を備える。以下、各構成について詳細に説明する。なお、特に明示した場合を除き、各部材の形状等は、洗浄ノズル２０が原位置に位置するときの形状等をいうものとする。かかる人体局部洗浄装置１は、図１に示すように便座Ｔの後方に設けられ、洗浄時には洗浄ノズル２０が前進し、使用者の局部を洗浄する。ベース部材１０はこれら各部材を支持するための部材であって、便器に対して取り付けられるベース板部１１およびこのベース板部１１の上側に設けられる支持台部１２を有する。
【００１９】
洗浄ノズル２０は、ベース部材１０に対して進退動可能に支持された部材である。この洗浄ノズル２０の先端側の一部は、支持台部１２に形成されたノズル収容ケース１２１部に収容されている。本実施形態では、肛門用洗浄ノズルとビデ用洗浄ノズルとが幅方向に並んで設けられている。なお、肛門用洗浄ノズルとビデ用洗浄ノズルの基本的な違いは、洗浄水の噴出構造や接続されるホース３０の数といったものであり、以下で特に明示する場合を除き、両洗浄ノズル２０を区別することなく単に「洗浄ノズル２０」と称して本実施形態にかかる人体局部洗浄装置１を説明する。洗浄ノズル２０は、原位置（図２、図４に示す状態）に位置するとき、その先端側の一部がノズル収容ケース１２１部に収容された状態にある。洗浄時には、ノズル収容ケース１２１の前端に形成された開口を通じて前進し、洗浄位置（図５に示す状態）に到達する。洗浄位置に到達後、洗浄ノズル２０の先端側上部に設けられた洗浄水噴出口より洗浄水が噴出される。本実施形態における洗浄ノズル２０は、水平方向に対して所定角度傾斜して、先端側が基端側よりも下方に位置するように設けられている。
【００２０】
ホース３０は、洗浄ノズル２０に洗浄水を供給するための供給管であって、変形可能な材料（例えばゴム材料）で形成される。ホース３０の一端は洗浄ノズル２０の後方に接続されている。本実施形態では、肛門用洗浄ノズルに二本のホース３０が、ビデ用洗浄ノズルに一本のホース３０が接続される。肛門用洗浄ノズル内には、二つの流路が形成されており、それぞれに対してホース３０が接続される。これにより、肛門用洗浄ノズルによる変化に富んだ洗浄態様が実現可能となっている。
【００２１】
ホース３０の他端は接続部４０に接続されている。接続部４０は、洗浄ノズル２０の下側に設けられている。具体的には、本実施形態における洗浄ノズル２０は、水平方向に対して所定角度傾斜して、先端側が基端側よりも下方に位置するように設けられているところ、接続部４０はその基端側の重力方向における下側に設けられている。本実施形態における接続部４０は、流量調整バルブに設けられた継手である。接続部４０は、流量調節バルブ４１の本体部分から後側に向かって突出するような形状である（図２〜図４参照）。本実施形態では、接続部４０は前後方向に沿って位置する。ホース３０は、大まかに見ると、一端が洗浄ノズル２０に接続され、そのまま洗浄ノズル２０の後方から真っすぐ引き出され、後方でＵターンするように下方に湾曲して前方に向かい、その前方に向かった部分の端部である他端が前後方向に沿って位置する接続部４０に接続されるようにして引き回されている。このように、ホース３０は、洗浄ノズル２０側から辿ると、後方に向かって延び、下方に向かってＵターンし、前方に向かって延び、前後方向に沿って位置する接続部４０に繋がる、というように配され、幅方向に直交する平面（ＹＺ平面）に沿って位置する。
【００２２】
流量調節バルブ４１は、各ホース３０（各洗浄ノズル２０）に洗浄水を供給するか否か、供給する場合にはその流量を調節する。かかる流量調節バルブ４１には、洗浄ノズル２０に接続されたホース３０とは別の水源に接続されるホース（図示せず）が接続される。
【００２３】
フレキシブルラック５０は、駆動源の動力を洗浄ノズル２０に伝達する動力伝達機構の一つを構成する。フレキシブルラック５０の一端側は洗浄ノズル２０に固定されている。フレキシブルラック５０における、当該洗浄ノズル２０に固定された部分よりも後方側に位置する部分の一部は、下方に湾曲している。本実施形態では、ベース部材１０の支持台部１２には、フレキシブルラック５０が係合可能な係合溝１２２が形成されている。係合溝１２２は、所定の曲率の円弧形状に形成された部分を含む。フレキシブルラック５０は、板状に形成された板状部５１と、そこから突出した歯部５２を有する。歯部５２の幅は板状部５１の幅より小さく、フレキシブルラック５０の幅方向両側には、歯部５２が形成されていない部分が存在する。当該歯部５２が形成されていない部分の一方側が、上記係合溝１２２に係合される（図３、図６参照）。つまり、フレキシブルラック５０は係合溝１２２に沿って配される。フレキシブルラック５０における湾曲した部分の曲率は、係合溝１２２の円弧形状に形成された部分の曲率と一致する。
【００２４】
フレキシブルラック５０における、洗浄ノズル２０に固定された部分と湾曲した部分の間には、出力歯車９１が噛み合っている。出力歯車９１は、駆動源であるモータ９２の動力を受けて回転する。このモータ９２から出力歯車９１までの動力伝達機構はどのようなものであってもよい。後述するように、出力歯車９１の回転によってフレキシブルラック５０が移動することにより、洗浄ノズル２０がその長手方向（前後方向）に進退動することになる。移動するフレキシブルラック５０は、上記係合溝１２２によってその湾曲した部分の形状が維持される。
【００２５】
アーム部材６０は、基端部６１、先端部６２、および係合部６３を有する。基端部６１は、ベース部材１０の支持台部１２に対して回動自在に支持された部分である。この回動中心は、上記係合溝１２２の円弧形状の部分およびそれに係合されるフレキシブルラック５０の湾曲した部分の円弧の中心と一致する。
【００２６】
先端部６２は、アーム部材６０が回動したときに上記係合溝１２２の円弧形状の部分に沿って移動する部分である。当該先端部６２は、フレキシブルラック５０の他端側（洗浄ノズル２０に固定された側の反対側）に接続されている。そのため、フレキシブルラック５０（の他端）が移動するとそれに伴ってアーム部材６０は回動する。本実施形態では、一方の支持軸６４１の先端から幅方向内側に向かって突出した部分の径方向内側（アーム部材６０の回動中心側を径方向内側、その反対側を径方向外側という。以下同じ）に、フレキシブルラック５０の歯部５２に噛み合うことが可能な引掛歯６２１（図７参照）が形成されており、当該引掛歯６２１がフレキシブルラック５０の他端側の歯部５２の一部に噛み合うことにより、アーム部材６０の先端部６２がフレキシブルラック５０に接続される。
【００２７】
フレキシブルラック５０は、径方向外側に歯部５２が形成されている。それゆえ、上記引掛歯６２１は径方向内向きの歯である。このような構成であるため、フレキシブルラック５０の歯部５２とアーム部材６０の先端部６２の引掛歯６２１が噛み合った状態となると、フレキシブルラック５０の幅方向外側には、アーム部材６０の一方の支持軸６４１が位置することになる。つまり、アーム部材６０は、フレキシブルラック５０におけるアーム部材６０が接続された部分を、幅方向外側から押さえている。このように、フレキシブルラック５０におけるアーム部材６０（先端部６２）が接続された部分は、アーム部材６０（一方の支持軸６４１）によって幅方向外側への移動が規制されている。具体的には、フレキシブルラック５０が幅方向外側に動きうる距離が、係合溝１２２に係合されたフレキシブルラック５０（の歯部５２が形成されていない部分の一方側）が、当該係合溝１２２から外れてしまわないような距離に設定されている（図６参照）。
【００２８】
係合部６３は、基端部６１と先端部６２の間に位置する。係合部６３は、幅方向に延びる（回転軸が幅方向に沿う）ローラである。具体的には、係合部６３は、幅方向に対向するように設けられた二本の支持軸６４１、６４２の間を橋渡しするように両支持軸６４１、６４２に対して回転自在に設けられている。アーム部材６０が回動すると、その回動中心を中心とする円弧に沿って係合部６３が移動する。その移動軌跡が描く円弧の曲率半径は、上記係合溝１２２の円弧形状の部分の曲率半径よりも小さい。この係合部６３には、ホース３０の一端（洗浄ノズル２０に接続された端部）と他端（接続部４０に接続された端部）との間の途中部位が係合している。具体的には次の通りである。
【００２９】
洗浄ノズル２０の後方から引き出されたホース３０は、下方に向かって係合溝１２２の円弧形状の部分（フレキシブルラック５０の湾曲した部分）に沿ってＵターンするように湾曲する。そこから上方に向かってＵターンするように小さく湾曲する。この湾曲した部分の内側にアーム部材６０の係合部６３が係合する。そして、さらにＵターンするように小さく湾曲して前方に向かって延び、接続部４０に到達する。この湾曲した部分の内側には、アーム部材６０の基端部６１が係合する。
【００３０】
このように引き回されるホース３０は、その小さく湾曲して上記係合部６３に係合した部分が、その幅方向外側に位置する一方の支持軸６４１と、幅方向内側に位置する他方の支持部との間に挟まれた状態にある。別の見方をすれば、ホース３０の当該部分は、ベース部材１０とそれに支持されたアーム部材６０の一部（一方の支持軸６４１）との間に挟まれているということがいえる。このように、ホース３０の当該部分は、Ｕターンするようにして係合部６３に係合した状態で、アーム部材６０の一方の支持軸６４１に幅方向外側から押えられたような状態にある（図２参照）。つまり、幅方向外側に位置するアーム部材６０の一方の支持軸６４１は、ホース３０の当該部分が幅方向外側に移動することを規制する。具体的には、アーム部材６０の一方の支持軸６４１は、後述するように洗浄ノズル２０が進退動し、それに伴って移動するホース３０が、幅方向外側にはみ出てしまわないように、幅方向外側から押さえる。
【００３１】
ここで、上述したように、本実施形態では、肛門用洗浄ノズルには、二本のホース３０が接続されている。両ホース３０は、同じ軌跡を描くように（幅方向で重なるように）配される。したがって、アーム部材６０の係合部６３には、二本のホース３０が幅方向に並んで係合することになる。本実施形態では、アーム部材６０の係合部６３（ローラ）には、幅方向に並ぶ両ホース３０の間を仕切る仕切り６３１が形成されている。当該仕切り６３１は、ローラの周方向全域に亘って形成されている。そのため、係合部６３に係合した部分においては、両ホース３０は接触しない。
【００３２】
上記構成を備える人体局部洗浄装置１は以下のように動作する。洗浄ノズル２０が原位置に位置している状態でモータ９２を一方に駆動（正転）させるとその動力は出力歯車９１を介してフレキシブルラック５０まで伝わる。フレキシブルラック５０は、洗浄ノズル２０に固定された一端が前進する方向に移動する。つまり、フレキシブルラック５０とともにそれに固定された洗浄ノズル２０が前進する。また、フレキシブルラック５０の他端は、係合溝１２２の円弧形状の部分に沿って、上側に向かって移動する。そのため、当該フレキシブルラック５０の他端側に固定されたアーム部材６０が、幅方向外側から見て反時計回りに回動する。つまり、洗浄ノズル２０が前進するとともに、アーム部材６０が反時計回りに回動する。
【００３３】
アーム部材６０が反時計回りに回動すると、その係合部６３に引っ掛けられていたホース３０が緩む。一方、洗浄ノズル２０が前進すると、それに接続されたホース３０が引っ張られる。つまり、アーム部材６０の回動によってホース３０が緩みながら、その緩んだ分が前進する洗浄ノズル２０によって引っ張られていく。このようにして、洗浄ノズル２０が洗浄位置まで到達する。洗浄ノズル２０が洗浄位置に到達した後、流量調節バルブ４１が動作し、洗浄水が所定の流量で洗浄ノズル２０に送られる。
【００３４】
洗浄終了後、モータ９２を他方に駆動（逆転）させるとその動力は出力歯車９１を介してフレキシブルラック５０まで伝わる。フレキシブルラック５０は、洗浄ノズル２０に固定された他端が後退する方向に移動する。つまり、フレキシブルラック５０とともにそれに固定された洗浄ノズル２０が後退する。また、フレキシブルラック５０の他端は、係合溝１２２の円弧形状の部分に沿って、下側に向かって移動する。そのため、当該フレキシブルラック５０の他端側に固定されたアーム部材６０が、幅方向外側から見て時計回りに回動する。つまり、洗浄ノズル２０が後退するとともに、アーム部材６０が時計回りに回動する。
【００３５】
アーム部材６０が時計回りに回動すると、その係合部６３に引っ掛けられていたホース３０が下方に引っ張られる。一方、洗浄ノズル２０が後退すると、それに接続されたホース３０が緩む。つまり、洗浄ノズル２０の後退によってホース３０が緩みながら、その緩んだ分が時計回りに回動するアーム部材６０によって引っ張られていく（巻き取られていく）。このようにして、洗浄ノズル２０が原位置に戻る。
【００３６】
以上説明した本実施形態にかかる人体局部洗浄装置１によれば次のような作用効果が奏される。
【００３７】
本実施形態にかかる人体局部洗浄装置１は、ホース３０の他端が接続される接続部４０が洗浄ノズル２０の下側に、幅方向に直交する平面（ＹＺ平面）に沿って設けられている。そのため、洗浄ノズル２０と接続部４０を繋ぐホース３０を、幅方向に直交する平面に沿って配することができる。つまり、洗浄ノズル２０、接続部４０、およびホース３０が当該平面に沿って設けられる。このように、ホース３０が幅方向外側に大きくはみ出して配される構成ではないから、装置がコンパクトなものとなる。また、洗浄ノズル２０が進退動作する際のホース３０の動きが、上記平面に沿ったものとなるため、ホース３０が座屈しにくいし、座屈を防止するために必要なホース３０長も短くなる。
【００３８】
特に、本実施形態にかかる人体局部洗浄装置１では、接続部４０が洗浄ノズル２０の基端側の重力方向における下方に設けられている。つまり、洗浄ノズル２０は所定角度傾斜して設けられているため、洗浄ノズル２０の基端側の重力方向における下方にはスペースが生じる。そのスペースを利用してホース３０が接続される接続部４０を設けた構成である。したがって、重力方向における装置の大型化も抑制することができる。
【００３９】
また、アーム部材６０の一方の支持軸６４１は、ホース３０における係合部６３に係合された部分の幅方向外側への移動を規制する。これにより、洗浄ノズル２０が進退どうしても、ホース３０が上記平面に沿って配された状態が維持される。このように、アーム部材６０は、ホース３０の一端を洗浄ノズル２０とともに進退動させる機能（洗浄ノズル２０を進退動させるに際し、ホース３０を緩めたり巻き取ったりする機能）を発揮する部材として働くだけでなく、ホース３０を幅方向外側から押さえる機能を発揮する部材としても働く。
【００４０】
また、ベース部材１０の支持台部１２には、フレキシブルラック５０における湾曲した部分が係合される係合溝１２２が形成されているため、洗浄ノズル２０とともに移動するフレキシブルラック５０の湾曲した形状が維持される。
【００４１】
また、アーム部材６０の一方の支持軸６４１は、フレキシブルラック５０におけるアーム部材６０に接続された部分の幅方向外側への移動を規制する。これにより、洗浄ノズル２０が進退動する際に、フレキシブルラック５０が係合溝１２２から外れてしまうこと（フレキシブルラック５０がスラスト方向に移動してしまうこと）を防止することができる。つまり、アーム部材６０は、一端を洗浄ノズル２０とともに進退動させる機能（洗浄ノズル２０を進退動させるに際し、ホース３０を緩めたり巻き取ったりする機能）を発揮する部材として働くだけでなく、フレキシブルラック５０を幅方向外側から押さえる機能を発揮する部材としても働く。
【００４２】
また、ホース３０における一端と他端の間の途中部位が係合されるアーム部材６０の係合部６３（ローラ）には、幅方向に並ぶ二つのホース３０の間を仕切る仕切り６３１が形成されている。つまり、一方のホース３０における係合部６３に係合した（引っ掛けられた）部分と、他方のホース３０における係合部６３に係合した（引っ掛けられた）部分とは、接触しない。そのため、洗浄ノズル２０が進退動する際、幅方向に並んで係合部６３に係合する二本のホース３０が互いに干渉し合うことが防止される。つまり、二本のホース３０が接触していると、両者の間に働く摩擦力により、一方のホース３０が他方のホース３０の移動を妨げ、ホース３０が座屈しまうおそれがあるところ、両ホース３０の間は仕切り６３１によって仕切られているため、このような問題が生じない。
【００４３】
なお、本実施形態では、肛門用洗浄ノズルに二本のホース３０が接続され、その二本のホース３０を仕切る仕切り６３１が設けられていることを説明したが、洗浄ノズル２０に三以上のホース３０が接続される場合には、各ホース３０を仕切る複数の仕切り６３１が設けられた構成とすればよい。
【００４４】
以上、本発明の実施形態について詳細に説明したが、本発明は上記実施形態に何ら限定されるものではなく、本発明の要旨を逸脱しない範囲で種々の改変が可能である。
【符号の説明】
【００４５】
１  人体局部洗浄装置
１０  ベース部材
１２２  係合溝
２０  洗浄ノズル
３０  ホース
４０  接続部
５０  フレキシブルラック
６０  アーム部材
６１  基端部
６２  先端部
６３  係合部
６３１  仕切り
６４１  一方の支持軸
６４２  他方の支持軸
【図１】
2014221995.tif 000003
【図２】
2014221995.tif 000004
【図３】
2014221995.tif 000005
【図４】
2014221995.tif 000006
【図５】
2014221995.tif 000007
【図６】
2014221995.tif 000008
【図７】
2014221995.tif 000009